(57)【要約】【課題】低背化したモジュラージャックを提供する。【解決手段】ジャック２０は、プラグハウジング９１ｈ及び複数の板状のコンタクト９１ｃを有するプラグ９１が電気的に接続される。ジャック２０は、プラグハウジング９１ｈが嵌合する開口２１ａに連設されたプラグ収容室２１を有するハウジング２と、コンタクト９１ｃと接続する複数のコンタクト８と、を備える。コンタクト８は、コンタクト９１ｃの板厚面を押す方向に変位可能なスネークスプリングからなり、プラグ９１をプラグ収容室２１に挿入すると、コンタクト９１ｃの板厚面に押されて、水平アーム８ｃがプラグ９１の挿入方向と略平行に後退する。ジャック２０のハウジング２は、従来のハウジングと比べて、コンタクト８を保持する極間壁を高さ方向に薄くできる。これにより、ジャック２０を低背化できる。【選択図】図１５
2013222524.tif 000002
【特許請求の範囲】
【請求項１】
外形が直方体状に形成されたプラグハウジング、及び前記プラグハウジングに配列された複数の板状の相手側コンタクトを有するモジュラープラグが電気的に接続されるモジュラージャックであって、
前記プラグハウジングが嵌合する開口、及びこの開口に連設された空洞のプラグ収容室を有する直方体状のハウジングと、
前記プラグ収容室の奥側に配列され、前記相手側コンタクトと接続する複数のコンタクトと、を備え、
前記コンタクトは、前記相手側コンタクトの板厚面を押す方向に変位可能なスネークスプリングからなる、モジュラージャック。
【請求項２】
前記コンタクトは、
前記ハウジングに固定され、直条に延びる固定アームと、
この固定アームの一方の端部から湾曲して、前記ハウジングの外部に当該固定アームと略平行に延びるリード端子と、
前記固定アームの他方の端部から湾曲して、前記ハウジングの内部に当該固定アームと略平行に延びる弾性アームと、
この弾性アームの先端部が略直角に屈曲されて前記プラグ収容室に延出すると共に、前記相手側コンタクトの板厚面に接触する接点を先端部に設けた水平アームと、を有し、
前記モジュラープラグを前記プラグ収容室に挿入すると、前記相手側コンタクトの板厚面に押されて、前記水平アームが当該モジュラープラグの挿入方向と略平行に後退する、請求項１記載のモジュラージャック。
【請求項３】
前記プラグハウジングの一方の端面から四角柱状に突出すると共に、当該プラグハウジングの一方の側面に一部が帯状に延びるキーを更に有するモジュラープラグが電気的に接続されるモジュラージャックであって、
前記プラグ収容室の内部の開口側に回動可能に配置され、略起立状態に復帰する力が付勢されたシャッターを更に備え、
前記ハウジングは、前記キーが通過する一対の対向壁を前記開口に有し、
前記シャッターは、
前記コンタクトと同数の前記相手側コンタクトを有する正規のモジュラープラグを前記開口から挿入したときは、倒伏して正規の前記モジュラープラグが前記プラグ収容室に進入することを許容し、
前記コンタクトより少ない数の前記相手側コンタクトを有する異極のモジュラープラグを前記開口から挿入したときは、略起立状態を維持して異極の前記モジュラープラグが前記プラグ収容室に進入することを阻止する請求項１又は２記載のモジュラージャック。
【請求項４】
前記シャッターは、
基端部が前記ハウジングと回動可能に連結すると共に、前記キーが幅方向に挿入可能に離隔した一対の回動アームと、
これらの回動アームを連結すると共に、前記キーを幅方向に挿入可能に配置された帯状の阻止部と、
一対の前記回動アームから前記開口側に向けて突出し、前記プラグハウジングの一方の端面の幅方向の両翼に当接可能な当接部と、を有し、
前記コンタクトと同数の前記相手側コンタクトを有する正規のモジュラープラグを前記開口から挿入したときは、当該プラグハウジングの一方の端面の両翼が一対の前記当接部に当接して、正規の前記モジュラープラグが前記プラグ収容室に進入可能に前記シャッターを倒伏し、
前記コンタクトより少ない数の前記相手側コンタクトを有する異極のモジュラープラグを前記開口から挿入したときは、当該プラグハウジングの一方の端面が前記阻止部に当接して一対の前記回動アームを一方の方向に回動させる共に、前記キーの端面が前記阻止部に当接して一対の前記回動アームを他方の方向に回動させて、異極の前記モジュラープラグが前記プラグ収容室に進入することを阻止可能に前記シャッターの略起立状態を維持する、請求項３記載のモジュラージャック。
【請求項５】
前記プラグハウジングは、一方の側面に配置され、基端部が前記キーに連設されたロックレバーを更に備え、
前記シャッターは、倒伏した状態で、前記ロックレバーに設けた係止爪に係合する係止部を更に有する請求項４記載のモジュラージャック。
【請求項６】
前記ハウジングの外壁を覆うと共に、外殻を構成する金属製のシェルを更に備える請求項１から５のいずれかに記載のモジュラージャック。
【請求項７】
プリント基板に実装される請求項１から６のいずれかに記載のモジュラージャック。
【発明の詳細な説明】
【技術分野】
【０００１】
本発明は、モジュラージャックに関する。特に、ＬＡＮ（ｌｏｃａｌ  ａｒｅａ  ｎｅｔｗｏｒｋ）用のモジュラープラグが接続されるモジュラージャックであって、プリント基板に実装され、プリント基板への実装高さが低減された、低背化されたモジュラージャックの構造に関する。
【背景技術】
【０００２】
パーソナルコンピュータ（いわゆるパソコン）などの電子機器は、ＬＡＮに接続するためのＬＡＮ用のモジュラージャック、又は、電話回線に接続するための電話用のモジュラージャックを側面又は背面などに配置している。又、ＬＡＮ用のモジュラージャックと電話用のモジュラージャックをパソコンなどの電子機器に併設している場合もある。
【０００３】
ＬＡＮ用のモジュラープラグとしては、８ピンのコンタクトを有する「ＲＪ４５」プラグが普及している。又、電話用のモジュラープラグとしては、６ピンのコンタクトを有する「ＲＪ１１」プラグが普及している。
【０００４】
なお、「ＲＪ４５」及び「ＲＪ１１」は、通信用コネクタの一種であり、米連邦通信委員会に登録された「Ｒｅｇｉｓｔｅｒｅｄ  ｊａｃｋ（ＲＪ）」であるが、この明細書では、「ＲＪ４５」を米連邦通信委員会が規格した電話用ＲＪ４５ではなく、広く普及したコンピュータ用ＲＪ４５として取り扱う。
【０００５】
ところで、ＲＪ１１プラグの外形は、ＲＪ４５プラグの外形より僅かに小さく、外観が類似しているため、ＲＪ１１プラグをＲＪ４５ジャックに誤挿入することがある。この場合、ＲＪ４５ジャックに配置した一対の両端部のコンタクトを変形、又は破損させるという不具合を発生させることがある。
【０００６】
上述した不具合を解消するため、異なる規格を有するモジュラープラグをモジュラージャックの開口に挿入しようとすると、退避することなく、傾斜面に沿って、モジュラープラグを挿入方向と異なる方向に移動させて、このモジュラープラグの進入を阻止する誤挿入防止部材をモジュラージャックの開口の隅部に設けたモジュラージャックが開示されている（例えば、特許文献１参照）。
【０００７】
又、上述した不具合を解消するため、電話用プラグの誤挿入を防止する一対の誤挿入防止部材をＬＡＮ用モジュラージャックのプラグ挿入開口の内壁左右両側面に設け、誤挿入防止部材は、ＬＡＮ用プラグの先端両角部によって左右に押し広げられるガイド片と、ガイド片の先端部に設けられ、電話用プラグの側面を支持する支持片と、支持片の先端部に設けられ、電話用プラグの先端部を受け止める爪片と、を有し、電話用プラグがＬＡＮ用モジュラージャックに挿入されたときには、電話用プラグが爪片により受け止められることによって挿入が防止されるＬＡＮ用モジュラージャックが開示されている（例えば、特許文献２参照）。
【先行技術文献】
【特許文献】
【０００８】
【特許文献１】特開２００６−３３１９７８号公報
【特許文献２】特開２００６−２２８４４９号公報
【発明の概要】
【発明が解決しようとする課題】
【０００９】
特許文献１によるモジュラージャックは、部品点数の削減と製造コストの削減が可能な、誤挿入防止用モジュラージャックを提供できる、としている。しかしながら、特許文献１によるモジュラージャックは、異なる規格を有するモジュラープラグの操作如何によって、誤挿入防止部材が退避してしまう可能性がある。異なる規格を有するモジュラープラグの進入を確実に阻止する誤挿入防止用モジュラージャックが求められている。
【００１０】
特許文献２によるモジュラージャックは、規格の異なるプラグがモジュラージャックに挿入されることを確実に防止できる、としている。しかしながら、特許文献２によるモジュラージャックは、一対の爪片が相反する向きに開いて、異なる規格を有するモジュラープラグの進入を許容する可能性を否定できない。異なる規格を有するモジュラープラグの進入を確実に阻止する誤挿入防止用モジュラージャックが求められている。
【００１１】
上述したようなモジュラージャックは、近年では、プリント基板の端部に実装されている。そして、ノート形パソコンなどの電子機器の背面パネルにモジュラージャックが表出するように、このプリント基板が電子機器の内部に装着されている。しかしながら、特許文献１によるモジュラージャック及び特許文献２によるモジュラージャックは、それらのハウジングの厚さが大きいので、ノート形パソコンに装着した場合に、ノート形パソコンの厚さを大きくするという問題がある。プリント基板に実装できると共に、その実装高さを低減した、いわゆる低背化したモジュラージャックが求められている。
【００１２】
図１６は、従来技術によるモジュラージャックの構成を示す斜視図であり、図１６（Ａ）は、従来技術によるモジュラージャックの縦断面図、図１６（Ｂ）は、従来技術によるモジュラージャックにモジュラープラグが挿入された状態の縦断面図、図１６（Ｃ）は、従来技術によるモジュラージャックに備わるコンタクトの弾性アームが変位した状態を示す縦断面図である。なお、図１６に示されたモジュラージャックは、誤挿入防止部材の図示を省略している。
【００１３】
図１６を参照すると、従来技術によるモジュラージャック（以下、ジャックと略称する）９Ｊは、直方体状のハウジング９ｈと複数のコンタクト９ｔを備えている。ハウジング９ｈは、プラグハウジング９１ｈが嵌合する開口、及びこの開口に連設された空洞のプラグ収容室９１ｐを有している。
【００１４】
図１６を参照すると、コンタクト９ｔは、導電性を有するベローズコンタクトからなり、リード端子９１ｔ、水平アーム９２ｔ、及び弾性アーム９３ｔで構成している。リード端子９１ｔは、ハウジング９ｈの後壁から延出している。そして、リード端子９１ｔの先端部側は、図示しないプリント基板の一方の面にハンダ接合できる。
【００１５】
図１６を参照すると、水平アーム９２ｔは、ハウジング９ｈの後壁及び内壁に形成した櫛の歯状のスリット溝に保持されている。弾性アーム９３ｔは、水平アーム９２ｔの先端部からＶ字状に屈曲し、プラグ収容室９１ｐに延出している。そして、モジュラープラグ（以下、プラグと略称する）９１をプラグ収容室９１ｐに挿入すると、プラグ９１の先端部に設けたコンタクト９１ｃの板厚面を弾性アーム９３ｔに接触できる（図１６（Ｂ）参照）。
【００１６】
図１６（Ｃ）を参照すると、弾性アーム９３ｔは、水平アーム９２ｔに向かって撓むことにより、その反力でコンタクト９１ｃに所定の接触圧を付与できる。しかしながら、コンタクト９１ｃに所定の接触圧を付与するためには、水平アーム９２ｔを保持するハウジング９ｈの極間壁に所定の厚さを必要としていた。そして、これに起因して、モジュラージャックの低背化を妨げていた。プリント基板に実装可能な低背化したモジュラージャックが求められている。そして、以上のことが本発明の課題といってよい。
【００１７】
本発明は、このような課題に鑑みてなされたものであり、異なる規格を有するモジュラープラグの進入を確実に阻止すると共に、低背化したモジュラージャックを提供することを目的とする。
【課題を解決するための手段】
【００１８】
本発明者は、モジュラージャックの低背化を困難とする要因がモジュラージャックに備わるＶ字状に屈曲したベローズコンタクトにあると考え、モジュラージャックに備わるコンタクの構造をスネークスプリングに換えることにより、これらの課題が解決可能なことを見出し、これに基づいて、以下のような新たなモジュラージャックを発明するに至った。
【００１９】
（１）  外形が直方体状に形成されたプラグハウジング、及び前記プラグハウジングに配列された複数の板状の相手側コンタクトを有するモジュラープラグが電気的に接続されるモジュラージャックであって、前記プラグハウジングが嵌合する開口、及びこの開口に連設された空洞のプラグ収容室を有する直方体状のハウジングと、前記プラグ収容室の奥側に配列され、前記相手側コンタクトと接続する複数のコンタクトと、を備え、前記コンタクトは、前記相手側コンタクトの板厚面を押す方向に変位可能なスネークスプリングからなる、モジュラージャック。
【００２０】
（１）の発明によるモジュラージャックは、モジュラープラグが電気的に接続される。モジュラープラグは、プラグハウジングと複数の板状の相手側コンタクトを有している。プラグハウジングは、外形が直方体状に形成されている。複数の相手側コンタクトは、プラグハウジングに配列されている。
【００２１】
（１）の発明によるモジュラージャックは、直方体状のハウジングと複数のコンタクトを備えている。ハウジングは、プラグハウジングが嵌合する開口、及び開口に連設された空洞のプラグ収容室を有している。複数のコンタクトは、プラグ収容室の奥側に配列され、相手側コンタクトと接続できる。そして、コンタクトは、相手側コンタクトの板厚面を押す方向に変位可能なスネークスプリングからなっている。
【００２２】
（１）の発明によるモジュラージャックは、コンタクトが相手側コンタクトの板厚面を押す方向に変位可能なスネークスプリングで構成しているので、従来のＶ字状に屈曲したベローズコンタクトと比べて、コンタクトを保持する極間壁を高さ方向に薄くできる。そして、これにより、モジュラージャックを低背化できる。
【００２３】
（２）  前記コンタクトは、前記ハウジングに固定され、直条に延びる固定アームと、この固定アームの一方の端部から湾曲して、前記ハウジングの外部に当該固定アームと略平行に延びるリード端子と、前記固定アームの他方の端部から湾曲して、前記ハウジングの内部に当該固定アームと略平行に延びる弾性アームと、この弾性アームの先端部が略直角に屈曲されて前記プラグ収容室に延出すると共に、前記相手側コンタクトの板厚面に接触する接点を先端部に設けた水平アームと、を有し、前記モジュラープラグを前記プラグ収容室に挿入すると、前記相手側コンタクトの板厚面に押されて、前記水平アームが当該モジュラープラグの挿入方向と略平行に後退する、（１）記載のモジュラージャック。
【００２４】
（２）の発明によるモジュラージャックは、コンタクトが固定アームとリード端子を有している。固定アームは、ハウジングに固定され、直条に延びている。リード端子は、固定アームの一方の端部から湾曲して、ハウジングの外部に固定アームと略平行に延びている。
【００２５】
又、（２）の発明によるモジュラージャックは、コンタクトが弾性アームと水平アームを有している。弾性アームは、固定アームの他方の端部から湾曲して、ハウジングの内部に固定アームと略平行に延びている。水平アームは、弾性アームの先端部が略直角に屈曲されて、プラグ収容室に延出している。又、水平アームは、相手側コンタクトの板厚面に接触する接点を先端部に設けている。
【００２６】
（２）の発明によるモジュラージャックは、モジュラープラグをプラグ収容室に挿入すると、相手側コンタクトの板厚面に押されて、水平アームがモジュラープラグの挿入方向と略平行に後退できる。
【００２７】
（３）  前記プラグハウジングの一方の端面から四角柱状に突出すると共に、当該プラグハウジングの一方の側面に一部が帯状に延びるキーを更に有するモジュラープラグが電気的に接続されるモジュラージャックであって、前記プラグ収容室の内部の開口側に回動可能に配置され、略起立状態に復帰する力が付勢されたシャッターを更に備え、前記ハウジングは、前記キーが通過する一対の対向壁を前記開口に有し、前記シャッターは、前記コンタクトと同数の前記相手側コンタクトを有する正規のモジュラープラグを前記開口から挿入したときは、倒伏して正規の前記モジュラープラグが前記プラグ収容室に進入することを許容し、前記コンタクトより少ない数の前記相手側コンタクトを有する異極のモジュラープラグを前記開口から挿入したときは、略起立状態を維持して異極の前記モジュラープラグが前記プラグ収容室に進入することを阻止する（１）又は（２）記載のモジュラージャック。
【００２８】
（３）の発明によるモジュラージャックは、モジュラープラグがキーを更に有している。キーは、プラグハウジングの一方の端面から四角柱状に突出している。又、キーは、プラグハウジングの一方の側面に一部が帯状に延びている。
【００２９】
（３）の発明によるモジュラージャックは、シャッターを更に備えている。シャッターは、プラグ収容室の内部の開口側に回動可能に配置されている。又、シャッターは、略起立状態に復帰する力が付勢されている。ハウジングは、キーが通過する一対の対向壁を開口に有している。
【００３０】
シャッターは、コンタクトと同数の相手側コンタクトを有する正規のモジュラープラグを開口から挿入したときは、倒伏して正規のモジュラープラグがプラグ収容室に進入することを許容する。
【００３１】
一方、シャッターは、コンタクトより少ない数の相手側コンタクトを有する異極のモジュラープラグを開口から挿入したときは、略起立状態を維持して異極のモジュラープラグがプラグ収容室に進入することを阻止する。
【００３２】
（３）の発明によるモジュラージャックは、正規のモジュラープラグをプラグ収容室の開口から挿入したときは、倒伏してプラグ収容室に進入することを許容するが、異極のモジュラープラグをプラグ収容室の開口から挿入したときは、略起立状態を維持してプラグ収容室に進入することを阻止するシャッターを備えているので、異なる規格を有するモジュラープラグの進入を確実に阻止できる。
【００３３】
（４）  前記シャッターは、基端部が前記ハウジングと回動可能に連結すると共に、前記キーが幅方向に挿入可能に離隔した一対の回動アームと、これらの回動アームを連結すると共に、前記キーを幅方向に挿入可能に配置された帯状の阻止部と、一対の前記回動アームから前記開口側に向けて突出し、前記プラグハウジングの一方の端面の幅方向の両翼に当接可能な当接部と、を有し、前記コンタクトと同数の前記相手側コンタクトを有する正規のモジュラープラグを前記開口から挿入したときは、当該プラグハウジングの一方の端面の両翼が一対の前記当接部に当接して、正規の前記モジュラープラグが前記プラグ収容室に進入可能に前記シャッターを倒伏し、前記コンタクトより少ない数の前記相手側コンタクトを有する異極のモジュラープラグを前記開口から挿入したときは、当該プラグハウジングの一方の端面が前記阻止部に当接して一対の前記回動アームを一方の方向に回動させる共に、前記キーの端面が前記阻止部に当接して一対の前記回動アームを他方の方向に回動させて、異極の前記モジュラープラグが前記プラグ収容室に進入することを阻止可能に前記シャッターの略起立状態を維持する、（３）記載のモジュラージャック。
【００３４】
（４）の発明によるモジュラージャックは、シャッターが一対の回動アームを有している。これらの回動アームは、帯状の阻止部と当接部を有している。一対の回動アームは、基端部がハウジングと回動可能に連結している。又、一対の回動アームは、キーが幅方向に挿入可能に離隔している。
【００３５】
阻止部は、一対の回動アームを連結している。そして、阻止部は、キーを幅方向に挿入可能に配置されている。当接部は、回動アームから開口側に向けて突出している。そして、当接部は、プラグハウジングの一方の端面の幅方向の両翼に当接できる。
【００３６】
コンタクトと同数の相手側コンタクトを有する正規のモジュラープラグを開口から挿入したときは、プラグハウジングの一方の端面の両翼が一対の当接部に当接して、正規のモジュラープラグがプラグ収容室に進入できるように、シャッターを倒伏させる。
【００３７】
一方、コンタクトより少ない数の相手側コンタクトを有する異極のモジュラープラグを開口から挿入したときは、プラグハウジングの一方の端面が阻止部に当接して一対の回動アームを一方の方向に回動させる共に、キーの端面が阻止部に当接して一対の回動アームを他方の方向に回動させて、異極のモジュラープラグがプラグ収容室に進入することを阻止できるように、シャッターの略起立状態を維持できる。
【００３８】
（４）の発明によるモジュラージャックは、異なる規格を有するモジュラープラグと正規のモジュラープラグでは、キーがハウジングの挿入面から突出していることは共通しているが、ハウジングの挿入面の横幅が異なることに着目し、シャッターの回転がキーに阻止されて、異なる規格を有するモジュラープラグの進入を阻止するが、シャッターの回転がキーに阻止されることなく、正規のモジュラープラグの進入を許容する回動可能なシャッターをモジュラープラグが挿入されるプラグ収容室の開口側に配置しているので、異なる規格を有するモジュラープラグの進入を確実に阻止できる。
【００３９】
（５）  前記プラグハウジングは、一方の側面に配置され、基端部が前記キーに連設されたロックレバーを更に備え、前記シャッターは、倒伏した状態で、前記ロックレバーに設けた係止爪に係合する係止部を更に有する（４）記載のモジュラージャック。
【００４０】
（６）  前記ハウジングの外壁を覆うと共に、外殻を構成する金属製のシェルを更に備える（１）から（５）のいずれかに記載のモジュラージャック。
【００４１】
（７）  プリント基板に実装される（１）から（６）のいずれかに記載のモジュラージャック。
【発明の効果】
【００４２】
本発明によるモジュラージャックは、コンタクトが相手側コンタクトの板厚面を押す方向に変位可能なスネークスプリングで構成しているので、従来のＶ字状に屈曲したベローズコンタクトと比べて、コンタクトを保持する極間壁を高さ方向に薄くできる。そして、これにより、モジュラージャックを低背化できる。又、本発明によるモジュラージャックは、異なる規格を有するモジュラープラグの進入を確実に阻止できる。
【図面の簡単な説明】
【００４３】
【図１】本発明の一実施形態によるモジュラージャックの構成を示す斜視図であり、図１（Ａ）は、前記実施形態によるモジュラージャックに接続される正規のモジュラープラグを配置し、図１（Ｂ）は、異極のモジュラープラグを配置している。
【図２】正規のモジュラープラグの構成を示す図であり、図２（Ａ）は正面図、図２（Ｂ）は平面図、図２（Ｃ）は右側面図、図２（Ｄ）は左側面図、図２（Ｅ）は背面図、図２（Ｆ）は底面図、図２（Ｃ）は斜視図である。
【図３】異極のモジュラープラグの構成を示す図であり、図３（Ａ）は正面図、図３（Ｂ）は平面図、図３（Ｃ）は右側面図、図３（Ｄ）は左側面図、図３（Ｅ）は背面図、図３（Ｆ）は底面図、図３（Ｃ）は斜視図である。
【図４】前記実施形態によるモジュラージャックの構成を示す斜視分解組立図である。
【図５】前記実施形態によるモジュラージャックに備わるハウジングの構成を示す図であり、図５（Ａ）は正面図、図５（Ｂ）は平面図、図５（Ｃ）は右側面図、図５（Ｄ）は左側面図、図５（Ｅ）は底面図、図５（Ｆ）は背面図、図５（Ｇ）は斜視図である。
【図６】前記実施形態によるモジュラージャックに備わるシャッターの構成を示す図であり、図６（Ａ）は正面図、図６（Ｂ）は平面図、図６（Ｃ）は右側面図、図６（Ｄ）は左側面図、図６（Ｅ）は底面図、図６（Ｆ）は背面図、図６（Ｇ）は斜視図である。
【図７】前記実施形態によるモジュラージャックに備わるシェルの構成を示す図であり、図７（Ａ）は正面図、図７（Ｂ）は平面図、図７（Ｃ）は右側面図、図７（Ｄ）は左側面図、図７（Ｅ）は底面図、図７（Ｆ）は背面図、図７（Ｇ）は斜視図である。
【図８】前記実施形態によるモジュラージャックに備わるコンタクトの構成を示す図であり、図８（Ａ）は、コンタクトの斜視図、図８（Ｂ）は、コンタクトの右側面図である。
【図９】前記実施形態によるモジュラージャックの構成を示す斜視図であり、図９（Ａ）は、前記実施形態によるモジュラージャックを底面側から観た状態図、図９（Ｂ）は、前記実施形態によるモジュラージャックに正規のモジュラープラグがロックされた状態図である。
【図１０】前記実施形態によるモジュラージャックの構成を示す斜視図であり、図１０（Ａ）の上段は、シャッターが起立した状態図、図１０（Ｂ）の中段は、シャッターが傾倒した状態図、図１０（Ｃ）の下段は、シャッターが倒伏した状態図である。
【図１１】前記実施形態によるモジュラージャックに設けたプラグ収容室を縦断面で示した斜視図であり、図１１（Ａ）は、正規のモジュラープラグをプラグ収容室に挿入した状態図、図１１（Ｂ）は、正規のモジュラープラグをプラグ収容室に進入させた状態図、図１１（Ｃ）は、正規のモジュラープラグをプラグ収容室に更に進入させた状態図、図１１（Ｄ）は、正規のモジュラープラグをプラグ収容室に完全に進入させた状態図である。
【図１２】前記実施形態によるモジュラージャックに設けたプラグ収容室を縦断面で示した斜視図であり、図１２（Ａ）は、異極のモジュラープラグをプラグ収容室に挿入した状態図、図１２（Ｂ）は、異極のモジュラープラグがプラグ収容室に進入することを阻止された状態図である。
【図１３】前記実施形態によるモジュラージャックに設けたプラグ収容室を縦断面で示した斜視図であり、正規のモジュラープラグをプラグ収容室に挿入する前の状態図である。
【図１４】前記実施形態によるモジュラージャックに設けたプラグ収容室を縦断面で示した斜視図であり、正規のモジュラープラグをプラグ収容室に挿入したときのコンタクトの状態変化を想像線で示している。
【図１５】前記実施形態によるモジュラージャックに設けたプラグ収容室に正規のモジュラープラグを挿入した状態を縦断面で示した斜視図である。
【図１６】従来技術によるモジュラージャックの構成を示す斜視図であり、図１６（Ａ）は、従来技術によるモジュラージャックの縦断面図、図１６（Ｂ）は、従来技術によるモジュラージャックにモジュラープラグが挿入された状態の縦断面図、図１６（Ｃ）は、従来技術によるモジュラージャックに備わるコンタクトの弾性アームが変位した状態を示す縦断面図である。
【発明を実施するための形態】
【００４４】
以下、図面を参照して本発明を実施するための形態を説明する。なお、本発明の実施形態によるモジュラージャックに接続される正規のモジュラープラグを「ＲＪ４５プラグ」とし、異極のモジュラープラグを「ＲＪ１１プラグ」として、以下に説明する。
【００４５】
［モジュラージャックの構成］
最初に、本発明の一実施形態によるモジュラージャックの構成を説明する。図１は、本発明の一実施形態によるモジュラージャックの構成を示す斜視図であり、図１（Ａ）は、前記実施形態によるモジュラージャックに接続される正規のモジュラープラグを配置し、図１（Ｂ）は、異極のモジュラープラグを配置している。
【００４６】
図２は、正規のモジュラープラグの構成を示す図であり、図２（Ａ）は正面図、図２（Ｂ）は平面図、図２（Ｃ）は右側面図、図２（Ｄ）は左側面図、図２（Ｅ）は背面図、図２（Ｆ）は底面図、図２（Ｃ）は斜視図である。
【００４７】
図３は、異極のモジュラープラグの構成を示す図であり、図３（Ａ）は正面図、図３（Ｂ）は平面図、図３（Ｃ）は右側面図、図３（Ｄ）は左側面図、図３（Ｅ）は背面図、図３（Ｆ）は底面図、図３（Ｃ）は斜視図である。
【００４８】
図１（Ａ）を参照すると、本発明の一実施形態によるモジュラージャック（以下、ジャックと略称する）２０は、プリント基板１ｐの実装面１１ｐに実装されている。ジャック２０は、正規のモジュラープラグ（以下、プラグと略称する）９１が電気的に接続される。ジャック２０には、プリント基板１ｐの実装面１１ｐと略平行にプラグ９１を挿入できる。実施形態によるジャック２０は、プラグ９１がプリント基板１ｐの実装面１１ｐと略平行に挿入される水平取付形コネクタを構成している。図１（Ｂ）を参照すると、ジャック２０には、その開口２１ａに異極のプラグ９２を挿入できる。
【００４９】
（正規のモジュラープラグの構成）
図１（Ａ）及び図２を参照すると、正規のプラグ９１は、ＲＪ４５プラグを示している。正規のプラグ９１は、プラグハウジング９１ｈ、キー９１ｋ、及び相手側コンタクトとなる八つのコンタクト９１ｃを有している。プラグハウジング９１ｈは、外形が直方体状に形成されている。キー９１ｋは、プラグハウジング９１ｈの一方の端面９１ａから四角柱状に突出している。又、キー９１ｋは、プラグハウジング９１ｈの一方の側面に一部が帯状に延びている。
【００５０】
図１（Ａ）及び図２を参照すると、プラグハウジング９１ｈは、ロックレバー９１ｒを更に備えている。ロックレバー９１ｒは、プラグハウジング９１ｈの一方の側面に配置され、基端部がキー９１ｋに連設されている。又、ロックレバー９１ｒは、一対の係止爪９１ｎ・９１ｎを設けている。
【００５１】
図１（Ａ）及び図２を参照すると、プラグハウジング９１ｈは、櫛の歯状に形成された八つの切り欠き溝を一方の端部に形成している。そして、これらの切り欠き溝に板状のコンタクト９１ｃを配列している。コンタクト９１ｃは、コンタクト８（図４参照）が接触できるように、板厚面が露出している。
【００５２】
（異極のモジュラープラグの構成）
図１（Ｂ）及び図３を参照すると、異極のプラグ９２は、ＲＪ１１プラグを示している。異極のプラグ９２は、プラグハウジング９２ｈ、キー９２ｋ、及び相手側コンタクトとなる六つのコンタクト９２ｃを有している。プラグハウジング９２ｈは、外形が直方体状に形成されている。キー９２ｋは、プラグハウジング９２ｈの一方の端面９２ａから四角柱状に突出している。又、キー９２ｋは、プラグハウジング９２ｈの一方の側面に一部が帯状に延びている。
【００５３】
図１（Ｂ）及び図３を参照すると、プラグハウジング９２ｈは、ロックレバー９２ｒを更に備えている。ロックレバー９２ｒは、プラグハウジング９２ｈの一方の側面に配置され、基端部がキー９２ｋに連設されている。又、ロックレバー９２ｒは、一対の係止爪９２ｎ・９２ｎを設けている。
【００５４】
図１（Ｂ）及び図３を参照すると、プラグハウジング９２ｈは、櫛の歯状に形成された六つの切り欠き溝を一方の端部に形成している。そして、これらの切り欠き溝に板状のコンタクト９２ｃを配列している。コンタクト９２ｃは、図示しないコンタクトが接触できるように、板厚面が露出している。
【００５５】
図１から図３を参照して、正規のプラグ９１と異極のプラグ９２を対比すると、プラグハウジング９１ｈの高さＨ１とプラグハウジング９２ｈの高さＨ２は、同じである。つまり、Ｈ１＝Ｈ２の関係になっている。一方、プラグハウジング９１ｈの横幅Ｗ１とプラグハウジング９２ｈの横幅Ｗ２は、異なっている。つまり、Ｗ１＞Ｗ２の関係になっている。又、キー９１ｋとキー９２ｋは、同じ形状になっている。したがって、異極のプラグ９２をジャック２０の開口２１ａに挿入することができる。
【００５６】
引き続き、実施形態によるジャック２０の構成を説明する。図４は、前記実施形態によるモジュラージャックの構成を示す斜視分解組立図である。図５は、前記実施形態によるモジュラージャックに備わるハウジングの構成を示す図であり、図５（Ａ）は正面図、図５（Ｂ）は平面図、図５（Ｃ）は右側面図、図５（Ｄ）は左側面図、図５（Ｅ）は底面図、図５（Ｆ）は背面図、図５（Ｇ）は斜視図である。
【００５７】
図６は、前記実施形態によるモジュラージャックに備わるシャッターの構成を示す図であり、図６（Ａ）は正面図、図６（Ｂ）は平面図、図６（Ｃ）は右側面図、図６（Ｄ）は左側面図、図６（Ｅ）は底面図、図６（Ｆ）は背面図、図６（Ｇ）は斜視図である。
【００５８】
図７は、前記実施形態によるモジュラージャックに備わるシェルの構成を示す図であり、図７（Ａ）は正面図、図７（Ｂ）は平面図、図７（Ｃ）は右側面図、図７（Ｄ）は左側面図、図７（Ｅ）は底面図、図７（Ｆ）は背面図、図７（Ｇ）は斜視図である。
【００５９】
図８は、前記実施形態によるモジュラージャックに備わるコンタクトの構成を示す図であり、図８（Ａ）は、コンタクトの斜視図、図８（Ｂ）は、コンタクトの右側面図である。図９は、前記実施形態によるモジュラージャックの構成を示す斜視図であり、図９（Ａ）は、前記実施形態によるモジュラージャックを底面側から観た状態図、図９（Ｂ）は、前記実施形態によるモジュラージャックに正規のモジュラープラグがロックされた状態図である。
【００６０】
図１０は、前記実施形態によるモジュラージャックの構成を示す斜視図であり、図１０（Ａ）の上段は、シャッターが起立した状態図、図１０（Ｂ）の中段は、シャッターが傾倒した状態図、図１０（Ｃ）の下段は、シャッターが倒伏した状態図である。
【００６１】
図４から図８を参照すると、実施形態によるジャック２０は、直方体状のハウジング２とシャッター４を備えている。又、ジャック２０は、ねじりコイルばね２ｓ、金属製のシェル６、及び八つのコンタクト８を備えている。
【００６２】
図２及び図５を参照すると、ハウジング２は、絶縁性を有する合成樹脂を成形している。そして、ハウジング２は、プラグハウジング９１ｈが嵌合する矩形の開口２１ａ、及び開口２１ａに連設された空洞のプラグ収容室２１を有している。又、ハウジング２は、キー９１ｋが通過する一対の対向壁２１ｄ・２１ｄを設けている。
【００６３】
（シャッターの構成）
図１又は図６及び図９を参照すると、シャッター４は、所定の形状に打ち抜き加工された金属製の展開板を折り曲げ成形している。シャッター４は、硬質の合成樹脂を成形してもよい。シャッター４は、プラグ収容室２１の内部の開口２１ａ側に回動可能に配置されている。ねじりコイルばね２ｓは、シャッター４が略起立状態に復帰する力を付勢している。ねじりコイルばね２ｓは、ハウジング２の一方の側面に穿設された収容穴２４ｈに収容できる（図５（Ｄ）参照）。
【００６４】
図６を参照すると、シャッター４は、一対の回動アーム４１・４１、帯状の阻止部４２、及び当接部４３を有している。一対の回動アーム４１・４１は、それらの基端部に軸穴４１ｈを開口している。一方、図５（Ｅ）を参照すると、ハウジング２は、一対の軸部２３ａ・２３ａを相反する向きに突出している。これらの軸部２３ａ・２３ａに一対の軸穴４１ｈ・軸穴４１ｈを嵌合させることで、一対の回動アーム４１・４１をハウジング２と回動可能に連結できる（図１０参照）。又、一対の回動アーム４１・４１は、異極のプラグハウジング９２ｈを幅方向に挿入可能に離隔している（図１（Ｂ）又は図３参照）。
【００６５】
図６を参照すると、阻止部４２は、一対の回動アーム４１・４１の先端部側を連結している。そして、阻止部４２は、その下端部が異極のプラグ９２に設けたキー９２ｋの端面９２ａを当接可能に配置されている（図３参照）。
【００６６】
図６を参照すると、当接部４３は、回動アーム４１から開口２１ａ側に向けて突出している（図１又は図５（Ｇ）参照）。そして、一対の当接部４３・４３は、正規のプラグハウジング９１ｈの一方の端面９１ａの幅方向の両翼に当接できる（図２参照）。
【００６７】
図１０を参照して、図１０（Ａ）に示されるように、シャッター４は、通常、プラグ収容室２１の内部の開口２１ａ側に略起立状態に維持されている。正規のプラグ９１を開口２１ａに挿入すると、図１０（Ｂ）に示されるように、シャッター４を傾倒できる。正規のプラグ９１をプラグ収容室２１に挿入すると、図１０（Ｃ）に示されるように、シャッター４を倒伏できる。正規のプラグ９１をプラグ収容室２１から引き抜くと、図１０（Ａ）に示されるように、シャッター４を略起立状態に復帰できる。なお、図１０の左の列は、ジャック２０を上面側から観た状態図、図１０の右の列は、ジャック２０を下面側から観た状態図である。
【００６８】
（シェルの構成）
図７を参照すると、シェル６は、所定の形状に打ち抜き加工された展開板を折り曲げ成形して、箱状に形成されている。シェル６は、ハウジング２の外壁を覆うと共に、ジャック２０の外殻を構成している。金属製のシェル６がハウジング２の外壁を覆うことで、電磁妨害の影響を防止できる。
【００６９】
図７を参照すると、シェル６は、対向する一対の案内片６１・６１を底面側に形成している。図１を参照して、正規のプラグ９１又は異極のプラグ９２をプラグ収容室２１の開口２１ａに挿入すると（図５参照）、キー９１ｋ又はキー９２ｋが一対の案内片６１・６１に案内される。つまり、一対の案内片６１・６１は、キー９１ｋ又はキー９２ｋを案内するキー溝になっている。
【００７０】
図７を参照すると、シェル６は、Ｌ字状に屈曲した一対一組のタブ片６２・６２を相反する向きに突出している。図１（Ｂ）を参照すると、プリント基板１ｐは、矩形の切り欠き１２ｐを端部に形成している。そして、一対一組のタブ片６２・６２以降のシェル６を切り欠き１２ｐに挿入できる。切り欠き１２ｐの両翼には、タブ片６２が挿入されるスルーホール（図示せず）を形成することが好ましく、スルーホールにタブ片６２をハンダ接合することが好ましく、プリント基板１ｐに対するジャック２０の接合強度を補強できる。
【００７１】
（コンタクトの構成）
図８を参照すると、コンタクト８は、導電性を有するスネーク状コンタクトからなり、導電性の金属板を打ち抜き加工又は折り曲げ加工して、所望の形状の導電性のコンタクト８を得ることができる。コンタクト８は加工の容易性や、ばね特性、導電性などを考慮すれば、銅合金が好ましく用いられるが、銅合金に限定される訳ではない。
【００７２】
図８を参照すると、コンタクト８は、固定アーム８ａ、リード端子８ｒ、弾性アーム８ｂ、及び水平アーム８ｃで構成している。固定アーム８ａは、直条に延びている。そして、固定アーム８ａは、開口２１ａと反対側のハウジング２の壁面２ａに対向している（図５又は図１３参照）。
【００７３】
図８を参照すると、リード端子８ｒは、固定アーム８ａの一方の端部から湾曲して、固定アーム８ａと略平行に延びている。そして、リード端子８ｒは、ハウジング２の外部に配置されている（図１３参照）。リード端子８ｒの先端部側は、プリント基板１ｐに設けたスルーホール（図示せず）に挿入されて、ハンダ接合できる（図１参照）。
【００７４】
図８を参照すると、弾性アーム８ｂは、固定アーム８ａの他方の端部から湾曲して、固定アーム８ａと略平行に延びている。水平アーム８ｃは、弾性アーム８ｂの先端部が略直角に屈曲されて、固定アーム８ａと反対側に延出している。固定アーム８ａ、弾性アーム８ｂ、及び水平アーム８ｃの基端部側は、ハウジング２に設けた櫛の歯状のスリット溝２１ｓに挿入できる（図５又は図１３参照）。
【００７５】
図５を参照して、ハウジング２に設けたスリット溝２１ｓにコンタクト８を挿入すると、水平アーム８ｃの先端部側をプラグ収容室２１に延出できる（図１３参照）。図８を参照すると、水平アーム８ｃは、接点８１ｓを先端部に設けている。
【００７６】
図１（Ａ）又は図２を参照して、正規のプラグ９１をプラグ収容室２１に挿入すると、コンタクト８の水平アーム８ｃ（図８参照）をプラグハウジング９１ｈに形成された切り欠き溝（図２（Ａ）参照）に進入できる。そして、コンタクト９１ｃの板厚面に水平アーム８ｃの接点８１ｓを弾性接触できる（図１５参照）。
【００７７】
［モジュラージャックの作用］
次に、実施形態によるジャック２０の動作を説明しながら、ジャック２０の作用及び効果を説明する。図１１は、前記実施形態によるモジュラージャックに設けたプラグ収容室を縦断面で示した斜視図であり、図１１（Ａ）は、正規のモジュラープラグをプラグ収容室に挿入した状態図、図１１（Ｂ）は、正規のモジュラープラグをプラグ収容室に進入させた状態図、図１１（Ｃ）は、正規のモジュラープラグをプラグ収容室に更に進入させた状態図、図１１（Ｄ）は、正規のモジュラープラグをプラグ収容室に完全に進入させた状態図である。
【００７８】
図１２は、前記実施形態によるモジュラージャックに設けたプラグ収容室を縦断面で示した斜視図であり、図１２（Ａ）は、異極のモジュラープラグをプラグ収容室に挿入した状態図、図１２（Ｂ）は、異極のモジュラープラグがプラグ収容室に進入することを阻止された状態図である。
【００７９】
図１（Ａ）又は図２及び図１１を参照して、正規のプラグ９１を開口２１ａに挿入すると、図１１（Ａ）に示されるように、プラグハウジング９１ｈの一方の端面９１ａの両翼が一対の当接部４３・４３に当接する（図６参照）。図１１（Ａ）に示された状態では、キー９１ｋは、一対の回動アーム４１・４１の間に配置されると共に、挿入方向では、キー９１ｋの端面が阻止部４２の下端部に当接しない位置関係になっている（図６参照）。
【００８０】
次に、図１１（Ａ）に示された状態から、正規のプラグ９１をプラグ収容室２１に進入すると、プラグハウジング９１ｈの一方の端面９１ａに一対の当接部４３・４３が押されて（図６参照）、図１１（Ｂ）に示されるように、シャッター４が傾倒する。
【００８１】
次に、図１１（Ｂ）に示された状態から、正規のプラグ９１をプラグ収容室２１に更に進入すると、プラグハウジング９１ｈの一方の端面９１ａに一対の当接部４３・４３が押されて（図６参照）、図１１（Ｃ）に示されるように、シャッター４が更に傾倒する。
【００８２】
次に、図１１（Ｃ）に示された状態から、正規のプラグ９１をプラグ収容室２１の奥壁に突き当たるまで進入すると、図１１（Ｄ）に示されるように、正規のプラグ９１をジャック２０に接続できる。図１１（Ｄ）に示された状態では、図１０（Ｃ）に示すように、シャッター４は倒伏している。又、図１１（Ｄ）に示された状態では、ロックレバー９１ｒに設けた一対の係止爪９１ｎ・９１ｎは、シャッター４に設けた一対の凸状の係止部４４・４４に係止できる（図６又は図９（Ｂ）参照）。
【００８３】
このように、実施形態によるジャック２０は、コンタクト８と同数のコンタクト９１ｃを有する正規のプラグ９１を開口２１ａから挿入したときは、シャッター４が倒伏して、正規のプラグ９１がプラグ収容室２１に進入することを許容する。
【００８４】
一方、図１（Ｂ）又は図３及び図１２を参照して、異極のプラグ９２を開口２１ａに挿入すると、図１２（Ａ）に示されるように、プラグハウジング９２ｈの一方の端面９２ａが一対の回動アーム４１・４１の間を通り抜けて、阻止部４２の上部側に当接する（図６参照）。図１２（Ａ）に示された状態では、キー９２ｋの先端面は、阻止部４２の下部側に当接している（図６参照）。
【００８５】
次に、図１２（Ａ）に示された状態から、異極のプラグ９２をプラグ収容室２１に進入すると、プラグハウジング９２ｈの一方の端面９２ａが阻止部４２の上部側に当接して、一対の回動アーム４１・４１を一方の方向に回動させる（図６参照）。一方、キー９２ｋの先端面が阻止部４２の下部側に当接して、一対の回動アーム４１・４１を他方の方向に回動させる。
【００８６】
図１２（Ｂ）に示される状態では、プラグハウジング９２ｈの一方の端面９２ａとキー９２ｋの先端面が阻止部４２に当接して（図３及び図６参照）、異極のプラグ９２がプラグ収容室２１に進入することを阻止可能にシャッター４の略起立状態を維持する。つまり、異極のプラグ９２の誤挿入を防止できる。
【００８７】
このように、実施形態によるジャック２０は、コンタクト８より少ない数のコンタクト９２ｃを有する異極のプラグ９２を開口２１ａから挿入したときは、シャッター４が略起立状態を維持して、異極のプラグ９２がプラグ収容室２１に進入することを阻止する。
【００８８】
実施形態によるジャック２０は、正規のプラグ９１をプラグ収容室２１の開口２１ａから挿入したときは、倒伏してプラグ収容室２１に進入することを許容するが、異極のプラグ９２をプラグ収容室２１の開口２１ａから挿入したときは、略起立状態を維持してプラグ収容室２１に進入することを阻止するシャッター４を備えているので、異なる規格を有するモジュラープラグの進入を確実に阻止できる。
【００８９】
次に、実施形態によるジャック２０に備わるコンタクト８の動作を説明しながら、コンタクト８の作用及び効果を説明する。図１３は、前記実施形態によるモジュラージャックに設けたプラグ収容室を縦断面で示した斜視図であり、正規のモジュラープラグをプラグ収容室に挿入する前の状態図である。
【００９０】
図１４は、前記実施形態によるモジュラージャックに設けたプラグ収容室を縦断面で示した斜視図であり、正規のモジュラープラグをプラグ収容室に挿入したときのコンタクトの状態変化を想像線で示している。
【００９１】
図１５は、前記実施形態によるモジュラージャックに設けたプラグ収容室に正規のモジュラープラグを挿入した状態を縦断面で示した斜視図である。
【００９２】
図１３を参照すると、通常、水平アーム８ｃの先端部側は、プラグ収容室２１に延出している。図１５を参照して、正規のプラグ９１をプラグ収容室２１に進入すると、コンタクト９１ｃの板厚面が接点８１ｓに接触する。正規のプラグ９１をプラグ収容室２１に更に進入すると、弾性アーム８ｂが撓んで水平アーム８ｃが後退する（図１４参照）。つまり、実施形態によるコンタクト８は、相手側コンタクトを押す方向に変位可能なスネークスプリングになっている。
【００９３】
従来技術によるコンタクト９ｔ（図１６参照）と、実施形態によるコンタクト８（図８参照）を対比すると、図１６に示されたコンタクト９ｔは、弾性アーム９３ｔが水平アーム９２ｔに向かって変位するように構成されている。この場合、弾性アーム９３ｔは、水平アーム９２ｔに密着することなく、水平アーム９２ｔとの間に余裕を必要としている。一方、図８に示されたコンタクト８は、水平アーム８ｃが高さ方向に殆んど変位することなく、相手側コンタクトを押す方向にのみ変位できる（図１４参照）。
【００９４】
従来技術によるコンタクト９ｔと実施形態によるコンタクト８は、上述した違いがあるので、実施形態によるハウジング２は、Ｖ字状に屈曲した複数のコンタクト９ｔを配列した従来のハウジング９ｈと比べて、コンタクト８を保持する極間壁を高さ方向に薄くできる。そして、これにより、実施形態によるジャック２０を低背化できる。
【符号の説明】
【００９５】
２  ハウジング
８  コンタクト
８ａ  固定アーム
８ｂ  弾性アーム
８ｃ  水平アーム
８ｒ  リード端子
２０  ジャック（モジュラージャック）
２１  プラグ収容室
２１ａ  開口
９１  プラグ（モジュラープラグ）
９１ｃ  コンタクト（相手側コンタクト）
９１ｈ  プラグハウジング
【図１】
2013222524.tif 000003
【図２】
2013222524.tif 000004
【図３】
2013222524.tif 000005
【図４】
2013222524.tif 000006
【図５】
2013222524.tif 000007
【図６】
2013222524.tif 000008
【図７】
2013222524.tif 000009
【図８】
2013222524.tif 000010
【図９】
2013222524.tif 000011
【図１０】
2013222524.tif 000012
【図１１】
2013222524.tif 000013
【図１２】
2013222524.tif 000014
【図１３】
2013222524.tif 000015
【図１４】
2013222524.tif 000016
【図１５】
2013222524.tif 000017
【図１６】
2013222524.tif 000018